(57)【要約】【課題】初期雨水を排除したきれいな雨水のみを効率よく貯溜できる雨水貯溜配管構造を提供する。【解決手段】雨水排水配管内部に雨水を流入させる雨水流入部１と、流入した雨水を一時的に貯溜する一時貯溜部２と、一時貯溜部２の一定量を超えた雨水がオーバーフローする越流部３ａと、越流部３ａからオーバーフローした雨水を貯溜する貯溜管路４と、貯溜管路４の内部に設けられた堰止め部５と、を有し、貯溜管路４が略水平又は最上流側から下流側に向けて下り勾配が設けられていると共に最上流側の管底は越流部３ａよりも低い位置にあり、一時貯溜部２には雨水を徐々に排水する排水部２ｆが設けられており、一時貯溜部２に流入する雨水量が排水部２ｆから排水される雨水量を上回ると、一時貯溜部２の水位が上昇し越流部３ａを越えてオーバーフローした雨水が貯溜管路４へと流入する構成とする。【選択図】図１
2014109141.tif 000002
【特許請求の範囲】
【請求項１】
雨水排水配管内部に雨水を流入させる雨水流入部と、流入した雨水を一時的に貯溜する一時貯溜部と、一時貯溜部の一定量を超えた雨水がオーバーフローする越流部と、越流部からオーバーフローした雨水を貯溜する貯溜管路と、貯溜管路の内部に設けられた雨水を堰止める堰止め部と、を有する雨水貯溜配管構造であって、
貯溜管路が略水平、又は、最上流側から下流側に向けて下り勾配が設けられていると共に、最上流側の管底が越流部よりも低い位置にあり、
一時貯溜部には、雨水を徐々に排水する排水部が設けられており、一時貯溜部に流入する雨水量が排水部から排水される雨水量を上回ると、一時貯溜部の水位が上昇し、越流部を越えてオーバーフローした雨水が貯溜管路へと流入することを特徴とする雨水貯溜配管構造。
【請求項２】
一時貯溜部と貯溜管路が流出管を介して接続されており、その流出管の管底を越流部としたことを特徴とする請求項１に記載の雨水貯溜配管構造。
【請求項３】
一時貯溜部の内部に、一時貯溜部内を上流側と下流側に区画する所定の高さを有する区画壁を設け、その区画壁の上端を越流部としたことを特徴とする請求項１に記載の雨水貯溜配管構造。
【請求項４】
貯溜管路の最上流側の管頂の高さが越流部の高さと略同じ、又は、低いことを特徴とする請求項１ないし請求項３のいずれかに記載の雨水貯溜配管構造。
【請求項５】
一時貯溜部に設けられた排水部よりも上流側に、異物捕集手段が講じられていることを特徴とする請求項１ないし請求項４のいずれかに記載の雨水貯溜配管構造。
【請求項６】
雨水流入部が、一時貯溜部に接続された雨水流入管であって、その雨水流入管の一時貯溜部側の端部に異物捕集手段が講じられていることを特徴とする請求項５に記載の雨水貯溜配管構造。
【請求項７】
一時貯溜部に設けられた排水部が、一時貯溜部の底面又は／及び側面の下端部に形成されたオリフィス、又は、透水性のシートで覆った開口であることを特徴とする請求項１ないし請求項６のいずれかに記載の雨水貯溜配管構造。
【発明の詳細な説明】
【技術分野】
【０００１】
本発明は、宅地内に埋設された雨水排水配管内部に雨水を貯溜し、その貯溜した雨水を有効利用できるようにした雨水貯溜配管構造に関するものである。
【背景技術】
【０００２】
資源の有効活用や省エネに対する意識が高まっており、近年、宅地内に埋設された雨水排水配管の内部に雨水を貯溜して、その貯溜した雨水を植物の水やりや洗車等に有効利用する試みがなされている。
【０００３】
このような事情に鑑みて、本出願人は、雨水桝と雨水桝を排水管で接続した雨水排水配管構造において、下流側に位置する雨水桝の流入口、又は、下流側に位置する雨水桝の流入口に接続された排水管端部に、配管内に流入した雨水を一時貯溜するための堰を設けた雨水排水配管構造を提案した（特許文献１）。
【０００４】
上記特許文献１の雨水排水配管構造は、下流側に位置する雨水桝の流入口、又は、下流側に位置する雨水桝の流入口に接続された排水管端部に設けられた堰によって雨水は堰止められて、その堰よりも上流側に雨水は貯溜されるので、雨水桝等の取水口から容易に取水して、庭の水やり等に有効利用することのできる時代のニーズに応えるものであった。
【先行技術文献】
【特許文献】
【０００５】
【特許文献１】特開２０１０−１２７０２０号公報
【発明の概要】
【発明が解決しようとする課題】
【０００６】
しかしながら、上記特許文献１の雨水排水配管構造は、配管内部に貯溜される雨水には降り始めの雨、所謂、初期雨水が含まれ、この初期雨水には汚濁成分が多く含まれて酸性度も高いため、貯溜した雨水を利用する用途が限定されてしまう、という問題があった。
【０００７】
本発明は上記の問題に鑑みてなされたもので、その解決しようとする課題は、雨水排水配管の内部に、初期雨水を排除したきれいな雨水のみを効率よく貯溜することのできる雨水貯溜配管構造を提供することにある。
【課題を解決するための手段】
【０００８】
上記目的を達成するため、本発明に係る雨水貯溜配管構造は、雨水排水配管内部に雨水を流入させる雨水流入部と、流入した雨水を一時的に貯溜する一時貯溜部と、一時貯溜部の一定量を超えた雨水がオーバーフローする越流部と、越流部からオーバーフローした雨水を貯溜する貯溜管路と、貯溜管路の内部に設けられた雨水を堰止める堰止め部と、を有する雨水貯溜配管構造であって、貯溜管路が略水平、又は、最上流側から下流側に向けて下り勾配が設けられていると共に、最上流側の管底が越流部よりも低い位置にあり、一時貯溜部には、雨水を徐々に排水する排水部が設けられており、一時貯溜部に流入する雨水量が排水部から排水される雨水量を上回ると、一時貯溜部の水位が上昇し、越流部を越えてオーバーフローした雨水が貯溜管路へと流入することを特徴とするものである。
【０００９】
本発明の雨水貯溜配管構造においては、一時貯溜部と貯溜管路が流出管を介して接続されており、その流出管の管底を越流部としたり、一時貯溜部の内部に、一時貯溜部内を上流側と下流側に区画する所定の高さを有する区画壁を設け、その区画壁の上端を越流部としたりすることが好ましい。また、貯溜管路の最上流側の管頂の高さが越流部の高さと略同じ、又は、低いことが好ましく、一時貯溜部に設けられた排水部よりも上流側に、異物捕集手段が講じられていること、特に、雨水流入部が、一時貯溜部に接続された雨水流入管であって、その雨水流入管の一時貯溜部側の端部に異物捕集手段が講じられていることが好ましい。更に、一時貯溜部に設けられた排水部が、一時貯溜部の底面又は／及び側面の下端部に形成されたオリフィス、又は、透水性のシートで覆った開口であることが好ましい。
【発明の効果】
【００１０】
本発明の雨水貯溜配管構造は、越流部からオーバーフローした雨水を貯溜する貯溜管路が略水平、又は、最上流側から下流側に向けて下り勾配が設けられていると共に、最上流側の管底が、一時貯溜部の一定量を超えた雨水がオーバーフローする越流部よりも低い位置にあるので、一時貯溜部の一定量を超えた雨水を確実、且つ、効率よく貯溜管路内部に貯溜することができる。また、初期雨水は、一時貯溜部に設けられた排水部から排水されるので、初期雨水が越流部を越えて貯溜管路内に流入することはなく、初期雨水を排除したきれいな雨水のみを貯溜することができる。一方、雨が止むと、一時貯溜部に一時的に貯溜された雨水は排水部より完全に排水されるため、次回の降雨時も、初期雨水を排除したきれいな雨水のみが貯溜管路内に流入し、堰止め部によって堰止められて貯溜されるようになっている。このように本発明は、初期雨水を排除したきれいな雨水のみを、効率よく雨水排水配管の内部に貯溜することができるものであり、その貯溜した雨水を、植物の水やりや洗車等、様々な用途に有効利用することができる。
【００１１】
次に、一時貯溜部と貯溜管路が流出管を介して接続されており、その流出管の管底を越流部とした雨水貯溜配管構造は、一時貯溜部と貯溜管路を流出管を介して接続することで、貯溜管路に下り勾配を設けなくても、貯溜管路に流入した雨水が一時貯溜部に逆流することがなくなり、貯溜管路の配管レイアウトの自由度が飛躍的に向上する。
【００１２】
一方、一時貯溜部の内部に、一時貯溜部内を上流側と下流側に区画する所定の高さを有する区画壁を設け、その区画壁の上端を越流部とした雨水貯溜配管構造は、区画壁を設けることで、貯溜管路を一時貯溜部に直接接続した場合でも、貯溜管路に下り勾配を設ける必要がなく、管路設計や施工が容易となる利点がある。
【００１３】
また、貯溜管路の最上流側の管頂の高さが越流部の高さと略同じ、又は、低い雨水貯溜配管構造は、貯溜管路全体を貯溜スペースとして有効活用することができる。
【００１４】
更に、一時貯溜部に設けられた排水部よりも上流側に、異物捕集手段が講じられている雨水貯溜配管構造は、異物捕集手段を講じることで、異物が捕集されるので、排水部が異物で詰まって、一時貯溜部より初期雨水が排水されないという不具合を防止することができる。
【００１５】
特に、雨水流入部が、一時貯溜部に接続された雨水流入管であって、その雨水流入管の一時貯溜部側の端部に異物捕集手段が講じられている雨水貯溜配管構造は、最も簡単な施工で、効率よく異物を捕集することができる。
【００１６】
そして、一時貯溜部に設けられた排水部が、一時貯溜部の底面又は／及び側面の下端部に形成されたオリフィスである雨水貯溜配管構造は、一時貯溜部に一時的に貯溜された雨水を徐々に排水することができる。また、排水部が、透水性のシートで覆った開口である雨水貯溜配管構造は、排水部の面積を大きくすることが可能となって、排水部全体が目詰まりして一時貯溜部に一時的に貯留された雨水が排水部から排水されなくなることはほとんどなくなるため、メンテナンスの頻度を減らすことができる。
【図面の簡単な説明】
【００１７】
【図１】本発明の一実施形態に係る雨水貯溜配管構造を示す概略説明図である。
【図２】同配管構造の一時貯溜部を示す断面図である。
【図３】同配管構造の排水桝と堰止め部を示す断面図である。
【図４】同配管構造において、一時貯溜部に直接貯溜管路を接続した場合を示す説明図である。
【図５】本発明の他の実施形態に係る雨水貯溜配管構造を示す概略説明図である。
【図６】同配管構造の一時貯溜部を示す断面図である。
【発明を実施するための形態】
【００１８】
以下、図面を参照して本発明の具体的な実施形態を詳述する。
【００１９】
図１に示す本発明の雨水貯溜配管構造は、宅地内に埋設された雨水排水配管内部に雨水を貯溜し、その貯溜した雨水を植物の水やりや洗車等に有効利用できるように開発されたものであって、雨水排水配管内部に雨水を流入させる雨水流入部１と、流入した雨水を一時的に貯溜する一時貯溜部２と、一時貯溜部２の一定量を超えた雨水がオーバーフローする越流部３ａと、越流部３ａからオーバーフローした雨水を貯溜する貯溜管路４と、貯溜管路４の内部に設けられた雨水を堰止める堰止め部５と、を有する。
【００２０】
上記雨水流入部１は、図１、図２に示すように、家屋の屋根等に降雨した雨水を一時貯溜部２に流入させるための雨水流入管であって、その上流側端部は竪樋（不図示）に接続されていると共に、下流側端部は一時貯溜部２の側面上部に接続されている。従って、家屋の屋根等に降雨した雨水は竪樋（不図示）を流落し、雨水流入部１から一時貯溜部２に流入するようになっている。
尚、この雨水流入部１は、一時貯溜部２に雨水を流入するものであれば上記の流入管１に限定されるものではなく、例えば、一時貯溜部２の上部に開口を設けて、その開口を雨水流入部としてもよい。
【００２１】
また、図２に示すように、上記雨水流入部１の下流側端部には、異物捕集手段６が講じられている。この異物捕集手段６は、後述する排水部２ｆに異物が侵入して詰まるのを防止するためのもので、半球状のメッシュ部材や袋状のネット部材が異物捕集手段６として好適に用いられる。
尚、この異物捕集手段６は、排水部２ｆに異物が侵入するのを防止するためのものなので、排水部２ｆより上流側であればどこに講じてもよいが、本実施形態では、最も取付け作業がし易くて、効果も大きくメンテナンスも容易である雨水流入部１の下流側端部に取付けられている。また、後述するように、一時貯溜部２の蓋体２ｂには通水孔２０ｂが穿孔されているので、その通水孔２０ｂからの異物の侵入を防止するため、一時貯溜部２の内部を上下に分割するように、半球状のメッシュ部材や袋状のネット部材などの異物捕集手段６を講じたり、通水孔２０ｂを塞ぐように通水孔２０ｂに直接異物捕集手段６を講じることも好ましい。
【００２２】
上記雨水流入部１から流入した雨水を一時的に貯溜する一時貯溜部２は、耐久性や施工性に優れるポリプロピレンや塩化ビニル樹脂等で成形された合成樹脂製の雨水桝であって、図２に示すように、その上端は開口し、下端は閉口したバケツ型をしている。この一時貯溜部２の上端には、断面形状が略凹型の蓋受部２ａが外側に向って突設されており、その蓋受部２ａに蓋体２ｂが載置されている。この蓋体２ｂには、宅地内に降った雨水も一時貯溜部２の内部に流入するよう、複数の通水孔２０ｂが穿孔されており、この通水孔２０ｂも上記の雨水流入部１と同様に、一時貯溜部２に雨水を流入させる雨水流入部としての役割を果たす。
【００２３】
また、この一時貯溜部２の周面には、図２に示すように、上記雨水流入部１の下流側端部を挿入する接続口２ｃと、流出管３の上流側端部を挿入する接続口２ｄが設けられている。この雨水流入部１の下流側端部を挿入する接続口２ｃは、越流部３ａの上流側端部を挿入する接続口２ｄよりも高い位置に設けられており、接続口２ｃ，２ｄに雨水流入部１と越流部３ａをそれぞれ挿入すると、雨水流入部１が越流部３ａよりも高い位置（雨水流入管の管底が流出管３の管頂よりも高い位置）にある。従って、雨水流入部１より一時貯溜部２に流入した雨水が、雨水流入部１へ再び逆流してしまうことはない。
尚、上記の接続口２ｃ，２ｄは、管に対する受け口又は挿し口として一時貯溜部２と一体に設けられていてもよいが、本実施形態の一時貯溜部２の接続口２ｃ，２ｄは、ホールソーなどで一時貯溜部２の周面に孔を穿孔することで設けられ、この接続口２ｃ，２ｄの周囲には、止水性を向上させる環状のシールパッキン２ｅが周設されている。このように孔を穿孔して接続口２ｃ，２ｄを設けることで、任意の箇所に接続口２ｃ，２ｄを設けることが可能となり、配管の自由度が向上する。
【００２４】
更に、一時貯溜部２の底面には、図２に示すように、排水部２ｆが設けられている。排水部２ｆは、一時貯溜部２に流入してきた雨水を徐々に排水して地中に浸透させたり、或いは、別の雨水排水配管や側溝に流すためのオリフィス（小径の孔）であって、この排水部２ｆを設けることで、初期雨水を完全に排除したきれいな雨水のみを、後述する貯溜管路４に貯溜することができるようになる。
【００２５】
これを更に詳述すると、降雨時には、上記のように、雨水流入部１や蓋体２ｂの通水孔２０ｂから一時貯溜部２に雨水が流入する。このとき、降り始めの雨、所謂、初期雨水には、汚濁成分が多く含まれて酸性度も高いため、初期雨水を貯溜管路４に貯溜しても、使う用途が限定されてしまう。そこで、初期雨水を排除したきれいな雨水のみを貯溜管路４に貯溜し、その貯溜した雨水を様々な用途に利用できるようにするため、一時貯溜部２の底面に排水部２ｆを設けている。前述したように、排水部２ｆはオリフィス（小径の孔）であるので、一時貯溜部２に流入してきた雨水は、直ちに排水部２ｆより排水されることはなく、徐々に排水されていく。一時貯溜部２に流入する雨水量が排水部２ｆから排水される雨水量を上回った時に初めて、一時貯溜部２の水位が上昇を始める。一時貯溜部２の水位が上昇を始めるのは、初期雨水が略排水された後になるよう、排水部２ｆであるオリフィスの径・個数及び一時貯溜部２の容量が設定されているので、初期雨水のみによって水位が上昇することはなく、水位が上昇した際の上面層の雨水は、汚濁成分が殆ど含まれず酸性度も低いきれいな雨水であり、このきれいな雨水のみが越流部３ａを越えて貯溜管路４へと流入するようになっている。
尚、この排水部２ｆは、流入してきた雨水を徐々に排水できるのであれば、本実施形態のようなオリフィスに限定されるものではなく、例えば一時貯溜部２の底面に開口を設け、その開口を透水性のシート（不図示）で覆うことで排水部２ｆとしもよい。また、排水部２ｆは、少なくとも越流部３ａよりも上流側に設ける必要があるので、本実施形態では、雨水流入部１と越流部３ａの間であって、且つ、越流部３ａよりも低い位置に設けられている。
【００２６】
一方、雨が止むと、一時貯溜部２に一時的に貯溜された雨水は排水部２ｆより完全に排水されて、次回の降雨時には、一時貯溜部２に雨水は残っておらず、前述した工程と同様に、初期雨水を排除したきれいな雨水のみが貯溜管路４内部に貯溜されるようになっている。
【００２７】
上記の一時貯溜部２と貯溜管路４とは、図１に示すように、円筒の短管である流出管３を介して接続されており、この流出管３の管底が、一時貯溜部２の一定量を超えた雨水がオーバーフローする越流部３ａとなっている。この越流部３ａの高さＬ１は、逆流防止の為、貯溜管路４の最上流側の管底よりも高い位置にある必要があり、本実施形態では、よりスムーズに一時貯溜部２よりオーバーフローした雨水が貯溜管路４に流入し、且つ、逆流しないように、越流部の高さＬ１は、貯溜管路の最上流側の管頂の高さＬ２よりも若干高くなっている。
【００２８】
越流部３ａの高さＬ１と貯溜管路の最上流側の管頂の高さＬ２を、上記の高さ関係にすることと配管内部を点検可能にすることを兼ねて、流出管３と貯溜管路４は点検口７を介して接続されている。この点検口７は、上端が開口すると共に下端が閉口した円筒体であって、その周面には、越流部３ａの高さＬ１と貯溜管路の最上流側の管頂の高さＬ２が上記の高さ関係になるように、流出管３の接続口と貯溜管路４の接続口がホールソーなどで穿孔されている。そして、上端開口に載置された蓋（不図示）を取外すことで、配管内部の点検や清掃等のメンテナンスを行えるようになっている。
【００２９】
尚、本実施形態のように、一時貯溜部２と貯溜管路４とを流出管３を介して接続しなくとも、初期雨水を排除したきれいな雨水を貯溜管路４に貯溜することはできる。しかしながら、一時貯溜部２の接続口２ｄに直接貯溜管路４を接続すると、図４に示すように、貯溜管路４に相当の下り勾配を設けなければ、貯溜した雨水が一時貯溜部２に逆流してしまうため、貯溜効率が非常に悪くなってしまう。従って、本実施形態のように、一時貯溜部２と貯溜管路４とは、流出管３を介して接続することが好ましい。
【００３０】
上記越流部３ａからオーバーフローした雨水を貯溜する貯溜管路４は、正確には、図１に示すように、宅地内に埋設されて流入した雨水を公共の下水道設備に排水する排水管４と、排水桝８の略半分（堰止め部５よりも上流側部分）と、取水口１０のことをいうが、ここでは、貯溜量の大半を占める排水管を貯溜管路４として扱う。この貯溜管路４は、雨水の貯溜量をより増やすため途中で枝分かれしており、一方は公共の下水道設備（不図示）に繋がった下流側排水管１１に接続され、もう一方は雨水を取水する取水口１０に接続されている。枝分かれして取水口１０側に向う貯溜管路４には、貯溜した雨水が取水口１０に集まるように、取水口１０へ向って若干の流れ勾配が設けられている。従って、貯溜管路４内部が雨水で満水とならなくても、越流部３ａから流入した雨水は取水口１０に集まって、容易に取水することができるようになっている。
尚、図面では、貯溜管路４が枝分かれした先の取水口１０が下側に描かれているが、実際の地表の高さＧＬは同じである。
また、貯溜管路４は、その貯溜量を増やすために通常の雨水排水配管よりも径の大きな管（φ１５０〜φ３００）で構成してもよい。
【００３１】
上記貯溜管路４の枝分かれしていない側の下流側端部は、図１に示すように、排水桝８に接続されている。この排水桝８は、図３に示すように、左右両端部に筒状の流入口８ａと流出口８ｂが一体に設けられていると共に、上端部に円形の開口を有する筒体８ｃが突設された略逆Ｔ字型の排水桝８であって、流入口８ａには、上記のように貯溜管路４の下流側端部が、流出口８ｂには下流側排水管１１がそれぞれ接続されている。また、筒体８ｃには、高さ調整筒９が嵌入されて、その上端が地表に臨むように調整されている。
【００３２】
図３に示すように、上記排水桝８には、堰止め部５を嵌入するための凹入部８ｄが設けられている。この凹入部８ｄは、雨水の進行方向に対して直交する凹型の溝部を形成したもので、排水桝８の底面より側面上部に至るまで一続きに設けられている。
【００３３】
上記排水桝８の凹入部８ｄに嵌入される堰止め部５は、その下端部が排水桝８の底面の形状に合わせて半円状に形成された板体であって、排水桝８の凹入部８ｄに嵌入されると、その上端が排水桝８の流入口８ａよりも高い位置にある。堰止め部５と凹入部８ｄとの間には、水密性を向上させるための止水パッキン（不図示）が介在されており、堰止め部５の上端を越えた雨水以外は、下流側排水管１１に流出しないようになっている。この堰止め部５を設けることで、排水桝８の流入口８ａと流出口８ｂとが隔てられて、流入口８ａより排水桝８内部に流入してきた雨水は、直ぐに流出口８ｂから流出することなく堰止め部５によって堰止められて、雨水が堰止め部５の上端に達するまで堰止め部５より上流側に位置する貯溜管路４の内部に貯溜されるようになっている。勿論、貯溜管路４が満水となった状態において、更に貯溜管路４内に雨水が流入しても、雨水は堰止め部５の上端を乗り越えて下流側排水管１１に排水されるので、貯溜管路４が雨水でパンクしてしまうことはない。このような役割を果たす堰止め部５を、宅地内に埋設された雨水排水配管の最下流側に設けると共に、上記一時貯溜部２を最上流側に設けることで、家屋の屋根や宅地内に降った雨水を一番多く貯溜することができるようになる。
【００３４】
一方、貯溜管路４の枝分かれした側の下流側端部は、図１に示すように、取水口１０に接続されることで行き止まりとなっている。この取水口１０は、前述した点検口７と同様に、上端が開口して下端が閉口した円筒体であって、その周面には、貯溜管路４を接続するための接続口がホールソーなどで穿孔されており、貯溜管路４の最も低い位置に配置されている。そして、取水口１０には、取水ポンプ１０ａが設けられており、取水口１０の内部に集水された雨水を容易に取水して、植物の水やりや洗車等、様々な用途に使用できるようにしている。
尚、取水口１０にフロート状等の水位計を設けることで、貯溜管路４内部の貯溜量を知ることができるようになる。また、取水口１０は貯留管路４の枝分かれした側の下流側端部に設けなくともよく、例えば貯溜管路４の枝分かれしていない側の途中（排水桝８よりも上流側）に設けてもよい。その場合も、上流側及び下流側の両側から取水口１０へ向って若干の流れ勾配を設けることで、貯溜管路４内部の貯溜量が少なくなってきた場合でも、雨水は取水口１０に集まって、容易に取水することができるようになる。
【００３５】
以上のような構成の本発明の雨水貯溜配管構造は、初期雨水が一時貯溜部２に設けられた排水部２ｆより排水されるので、越流部３ａを越えて貯溜管路４内に初期雨水が流入することはなく、汚濁成分を多く含み酸性度も高い初期雨水を排除したきれいな雨水のみを貯溜管路４内に貯溜することができる。一方、雨が止むと、一時貯溜部２に一時的に貯溜された雨水は排水部２ｆより完全に排水されるため、次回の降雨時も、初期雨水を排除したきれいな雨水のみを貯溜管路４内に貯溜することができ、その貯溜された雨水を植物の水やりや洗車等、用途を選ばずに有効利用することができる。
【００３６】
図５は本発明の他の実施形態に係る雨水貯溜配管構造を示す概略説明図、図６は同配管構造の一時貯溜部を示す断面図である。
【００３７】
この実施形態の雨水貯溜配管構造は、図６に示す一時貯溜部２０を用いたもので、この一時貯溜部２０を用いることで、前述した実施形態の雨水貯溜配管構造とは異なり、一時貯溜部２０と貯溜管路４とを流出管３を介さず直接接続しても、同等の貯溜量を確保することができるようになっている。
【００３８】
この一時貯溜部２０は、前述した一時貯溜部２と同様に、耐久性や施工性に優れるポリプロピレンや塩化ビニル樹脂等で成形された合成樹脂製の雨水桝であって、図６に示すように、その上端は開口し、下端は閉口したバケツ型をしている。また、一時貯溜部２０の上端には、断面形状が略凹型の蓋受部２ａが外側に向って突設されて蓋体２ｂが載置されており、その周面には、上記雨水流入部１の下流側端部を挿入する接続口２ｃと、貯溜管路４の上流側端部を挿入する接続口２ｇが設けられている。この雨水流入部１の下流側端部を挿入する接続口２ｃも、前述した一時貯溜部２と同様に、貯溜管路４の上流側端部を挿入する接続口２ｇより高い位置に設けられており、接続口２ｃ，２ｇに雨水流入部１と貯溜管路４をそれぞれ挿入すると、雨水流入部１が貯溜管路４よりも高い位置（雨水流入管の管底が貯溜管路４の管頂よりも高い位置）にあり、雨水流入部１より一時貯溜部２に流入した雨水が、雨水流入部１へ再び逆流してしまうことを防止している。
【００３９】
更に、前述した一時貯溜部２と同様に、一時貯溜部２０の底面には、初期雨水を排水するための排水部２ｆが設けられており、汚濁成分を多く含み酸性度の高い雨水が貯溜管路４に流入するのを防止している。但し、この排水部２ｆは、前述した一時貯溜部２の排水部２ｆとは異なり、一時貯溜部２０の底面を左右に分割したと仮定すると、どちらか一方の側にのみ設けられたもので、本実施形態では、一時貯溜部２０の底面の左側にのみ設けられて、右側に排水部２ｆは設けられていない。これは一時貯溜部２０の内部に、次に説明する区画壁３０を設けたからである。
【００４０】
一時貯溜部２０の内部に設けられた区画壁３０は、図６に示すように、一時貯溜部２０を上流側（左側）と下流側（右側）に区画する壁体であって、この区画壁３０の上端を雨水がオーバーフローする越流部３０ａとしている。区画壁３０を設けることで、雨水流入部１より流入した雨水は、区画壁３０より上流側の空間に流入して一時貯溜され、排水部２ｆからの排水量よりも流入量が上回ると水位が上昇を始め、区画壁３０の上端である越流部３０ａを越えて、区画壁３０の下流側の空間に流入するようになる。従って、区画壁３０は、雨水流入部１より流入してきた雨水が、区画壁３０の下流側の空間に直接流入しない位置（雨水流入部１より流入してきた雨水が区画壁３０の上流側の空間の底面、内周面、区画壁３０の上流側の壁面にぶつかる位置）で一時貯溜部２０を上流側と下流側に区画する必要があり、また、初期雨水が越流部３０ａを越えて下流側の空間に流入しない所定の高さが必要である。この所定の高さとは、降雨量、排水部２ｆからの排水量、一時貯溜部２０の容量などを勘案して設定されるものであり、本実施形態の区画壁３０は貯溜管路４の管頂と略同じ高さに設定されている。区画壁３０をこの高さに設定すると、越流部３０ａを越えた雨水は、初期雨水が排除されたきれいな雨水のみとなり、上記のように、一時貯溜部２０底面の右側に排水部２ｆを設ける必要はなくなる。この区画壁３０は、一時貯溜部２０と一体に形成されることが好ましいが、別体の区画壁を水密的に一時貯溜部２０に取付けてもよい。
尚、正確には、一時貯溜部２０（雨水桝）の区画壁３０より上流側が雨水を一時的に貯溜する一時貯溜部となり、区画壁３０より下流側が雨水を貯溜する貯溜管路となるが、ここでは便宜上、雨水桝全体のことを一時貯溜部２０という。
また、本実施形態の一時貯溜部２０は、初期雨水が区画壁３０よりも下流側に流入して貯溜管路４に貯溜される恐れが生じるので、一時貯溜部２０には、通水孔２０ｂが穿孔されていない蓋体２ｂを載置するとよい。
この実施形態のその他の構成は、前述した実施形態と同様であるので、同一部材に同一符号を附して説明を省略する。
【００４１】
以上のような構成の本発明の雨水貯溜配管構造は、前述した図１〜図４に示す雨水貯溜配管構造の作用効果に加え、区画壁３０で上流側と下流側に区画された一時貯溜部２０を用いることで、直接一時貯溜部２０と貯溜管路４を接続しても、同等の貯溜量を確保することができるようになる。
【符号の説明】
【００４２】
１    雨水流入部（雨水流入管）
２，２０  一時貯溜部
２ａ  蓋受部
２ｂ  蓋体
２０ｂ  通水孔
２ｃ  接続口（雨水流入部の接続口）
２ｄ  接続口（越流部の接続口）
２ｅ  シールパッキン
２ｆ  排水部（オリフィス）
２ｇ  接続口（貯溜管路の接続口）
３    流出管
３ａ  越流部（流出管の管底）
３０  区画壁
３０ａ  越流部（区画壁の上端）
４    貯溜管路
５    堰止め部
６    異物捕集手段
７    点検口
８    排水桝
８ａ  流入口
８ｂ  流出口
８ｃ  筒体
８ｄ  凹入部
９    高さ調整筒
１０    取水口
１０ａ  取水ポンプ
１１  下流側排水管
【図１】
2014109141.tif 000003
【図２】
2014109141.tif 000004
【図３】
2014109141.tif 000005
【図４】
2014109141.tif 000006
【図５】
2014109141.tif 000007
【図６】
2014109141.tif 000008